(57)【要約】  睫毛処理装置は室温で固形のマスカラ組成物を軟化させるヒータ５０を備えたアプリケータ２０を有する。アプリケータは、その長さ方向に沿って配列されたコーム３０に加えて、放熱体４０を備え、この放熱体はアプリケータ上に露出し、アプリケータの長さに沿って延出する連続の加熱帯４２を与えるように構成されて、固形のマスカラ組成物を受け取ってこれを熱により軟化させる。また、放熱体は軟化したマスカラ組成物を保持する窪み４４を備えるように構成される。コーム３０は窪みから突出し、睫毛を梳く際に、軟化したマスカラ組成物を睫毛に渡すようになっている。加熱帯４２が放熱体４０の長さに沿って如何なる部材によっても邪魔されることなく連続して延出しているため、マスカラ組成物は加熱帯の全長に亘って充填でき、アプリケータから睫毛へ間違いなく均一に塗布できる。このため、軟化したマスカラ組成物は、コームやアプリケータの全長から睫毛へ渡されることが出来、冷却されることで睫毛に固形のマスカラ膜を残す。
2008512172.tif 000002
【特許請求の範囲】
【請求項１】
使用者に把持されるグリップ（１０）と、
上記グリップに支持されたアプリケータ（２０）とを備えた装置であって、
上記のアプリケータはマスカラ組成物を受け取ってこれを使用者の睫毛に付与するように構成され、
上記アプリケータはその長さを有する長尺体であって、
上記アプリケータを加熱するためにアプリケータに内蔵したヒータ（５０）と、
アプリケータの長さに沿って配置されたコーム（３０）とを備え、
上記アプリケータ上に露出する放熱体（４０）が備えられ
上記放熱体４０は上記ヒータと熱伝導関係に保持されてアプリケータの長さに沿って連続して延出する加熱帯（４２）を有して、ここでマスカラ組成物を受けってこれを軟化させ、
上記放熱体は軟化させたマスカラ組成物を保持する窪み（４４）を備え、
上記コームは上記の窪み内から突出して、睫毛を梳く時に軟化したマスカラ組成物を睫毛に与えることを特徴とする睫毛処理装置。
【請求項２】
上記放熱体は２列の加熱帯を形成し、この加熱帯はアプリケータの幅方向に離間してその間に上記の窪みを形成することを特徴とする請求項１に記載の睫毛処理装置。
【請求項３】
上記の窪みは加熱体の長さに沿って連続的に延出することを請求項１に記載の睫毛処理装置。
【請求項４】
上記の加熱帯は上記窪みに向けて下がり傾斜したことを特徴とする請求項２に記載の睫毛処理装置。
【請求項５】
上記アプリケータはサイドコーム（６０）を備え、このサイドコームはアプリケータの両側に配置されて上記の加熱帯の列に沿って並び、
上記のサイドコームが加熱部の一部を覆って、残りの部分をアプリケータの長さに沿って連続的に露出させたことを特徴とする請求項２に記載の睫毛処理装置。
【請求項６】
上記の放熱体は単一の金属板から形成され、折り曲げられて略Ｕ字形部を形成し、Ｕ字形部は上記の加熱帯を規定する曲頂片、この曲頂片の両側から垂れ下がる脚片とで構成され、
上記Ｕ字形部の両脚片の間に形成したスペースに上記ヒータが上記放熱体に接触する形で収容されたことを特徴とする請求項２に記載の睫毛処理装置。
【発明の詳細な説明】
【技術分野】
【０００１】
本出願は、マスカラ組成物を使用者の睫毛に付与するための睫毛処理装置、更に詳しくは、固形のマスカラ組成物を使用するために構成された装置に関するものである。
【背景技術】
【０００２】
これまでに、例えば国際特許公開公報99／22782号公報に示されるように、アプリケータブラシとヒーターとの組み合わせを備えた睫毛処理装置が提案されている。このアプリケータブラシは、容器から取り出した半固形状態のマスカラ組成物を塗布する際に、熱を加えることで睫毛をカールするように設計されている。しかしながら、室温で固形である固形マスカラ組成物を加熱して軟化させるための考え方や構造が欠けているため、アプリケータブラシを固形のマスカラ組成物と組み合わせて使用することは実質的に不可能である。このような問題を考慮すると、固形のマスカラ組成物を最大限に活用して軟化したマスカラ組成物を睫毛に旨く均一に塗布するために専用の加熱装置が必要となる。
【発明の開示】
【０００３】
本発明の装置は、マスカラ組成物を軟化させ、軟化したマスカラ組成物を睫毛へ均一に塗布するする構造を与えるように、特に、構成されたものである。本装置はマスカラ組成物を軟化させるヒータを備えたアプリケータと、アプリケータの長さに沿って配置されたコームとを有する。アプリケータはアプリケータ上に露出する放熱体を有し、放熱体はヒータとの間で熱伝導関係が維持される。放熱体はアプリケータの長さに沿って連続して延出する加熱帯を有し、固形のマスカラ組成物を受け取ってこの組成物を熱により軟化させる。また、放熱体は軟化したマスカラ組成物を保持するための窪みを備える。コームは窪み内から突出し、睫毛を梳く時に軟化したマスカラ組成物を睫毛に与える。加熱帯は、放熱体の長さ方向に沿って何らの部材によっても邪魔されることなく連続して延出しているため、マスカラ組成物は加熱帯の全長に亘って充填することができ、アプリケータから睫毛へ間違いなく均一に塗布されることができる。このため、軟化したマスカラ組成物はコームやアプリケータの全長から睫毛に対して上手く渡すことができ、冷却することで睫毛に固形のマスカラ膜を残すことが出来る。
【０００４】
好ましくは、放熱体は2列の加熱帯を形成し、これらの加熱帯がアプリケータの幅方向に離間してその間に窪みを形成するように形作られる。これにより、2列の何れにおいて軟化されたマスカラ組成物が窪みに集められてコームを濡らすことになる。これに関連して、加熱帯は窪みに向けて下り傾斜し、軟化したマスカラ組成物を窪みへ滑らかに流すようになっている。
【０００５】
アプリケータにはその両側で加熱帯の列に沿って並ぶサイドコームを備えてもよい。このサイドコームは加熱帯の一部を覆って残りの部分をアプリケータの長さに沿って連続的に露出させる。このサイドコームにより更なる梳き効果が与えられてスタイルの良いマスカラ処理が提供される。
【０００６】
更に、放熱体は一枚の金属シートから形成されて略U字形部に曲げられることが好ましい。U字形部は加熱帯を構成する曲頂片とこの曲頂片の両端から下方に延びる脚とで構成される。このU字形部はその脚の間にスペースを与え、このスペースにヒータを曲頂片と接触させる形で収容する。これにより、ヒータ及び放熱体が低背構造に構成されてアプリケータを小型化する。
【０００７】
本発明における上述した及びそれ以外の特徴は、添付する図面を参照して以下に説明する本発明の好ましい実施形態から明らかになる。
【発明を実施するための最良の形態】
【０００８】
図１〜図４に、本発明の好ましい実施形態に係る睫毛処理装置が示される。この装置は、固形のマスカラ組成物を使用するもので、この固形のマスカラ組成物は粘性体として調製され、室温、即ち25℃において固形であり、高い温度で軟化して睫毛に塗布される。本文中においてマスカラ組成物を説明する「固形」とは、この組成物がその構造を維持するための硬度を有し、応力や剪断力に対して安定していることを意味する。マスカラ組成物は２５℃〜１００℃の間においてレオロジーでいうところの遷移変化が行われ、これらの温度間で睫毛への塗布のために適切に軟化する温度・レオロジーの範囲がある。マスカラ組成物が軟化した状態では、睫毛に塗布されるための十分な流動性を有するが、塗布時にはアプリケータに止まり、塗布後には睫毛に残る十分な粘性を有する。
【０００９】
本装置は、軟化したマスカラ組成物を睫毛に塗布するためのアプリケータ２０を長手方向の一端に備える長尺のハンドグリップ１０を有する。アプリケータ20は長尺でその長さがハンドグリップ１０の長さに略一致しており、放熱体４０と睫毛を梳くための中央コーム３０とを備える。放熱体40はマスカラ組成物がアプリケータ２０に渡された後にこれを加熱して軟化させるため、及び睫毛を加熱してカールさせるために設けられる。放熱体４０及びコーム３０は共にアプリケータ２０の実質的に全長に亘って配置される。
【００１０】
図７に示すように、アプリケータ２０は、放熱体４０の熱源となる電気ヒータ５０に加えて、中央コーム３０及び放熱体４０を保持する絶縁プラスチック材料製のベース２２を備える。電気ヒータ５０は、絶縁材料のU字形のコア５４に巻装されてアプリケータ２０の長さ方向に沿って平行に延びる2列を与える抵抗コイル５２で構成される。コイル５２は電圧源、即ち、グリップ１０内に収容された電池１２へ、スイッチを介して電気的に接続され、グリップ１０に設けたスイッチハンドル１４を操作することで通電される。
【００１１】
放熱体４０は一枚の金属シート、例えば、ステンレス鋼から形作られて、2列の平行な加熱帯４２を有し、これらの加熱帯がアプリケータ２０の先端で結合されて、ヒータ５０に合致する水平のU字形を構成する。加熱帯４２の列はアプリケータ２０の表面に露出してアプリケータの長さ方向に沿って延出することで、睫毛に直接接触可能となって睫毛をカールするようになっている。また、連続する加熱帯４２の列は、固形のマスカラ組成物を放熱体４０に充填するための充填場所を構成する。このため、図８に示すように、固形のマスカラ組成物を含むチューブ７０からこれを絞り出しながら、アプリケータの長さに沿った供給点を移動させることで、加熱帯４２、即ちアプリケータ20の全長に亘ってマスカラ組成物を供給することができる。これとは別に、固形のマスカラ組成物は、加熱帯４２の長さに沿った寸法となるスティック形状に用意することもできる。加熱帯４２はアプリケータ20の長さ方向に沿って連続して延出しているため、マスカラ組成物は、これを充填する方法に関係なく、アプリケータ20の全長に供給することができる。
【００１２】
加熱帯５２の列はアプリケータ２０の幅方向に沿って離間してその間に窪み４４を形成する、この窪みはアプリケータ20の長さ方向に沿って走り、図８に示すように、軟化したマスカラ組成物を保持する。詳しくは、図７に示すように、金属シートがU字形の縦断面を有するように折り曲げられて、加熱帯４２となる曲頂片と、この曲頂片から下方に延びる脚４３とを備える。このU字形断面の脚片間にできるスペースに電気ヒータ５０が収められて、放熱体４０に接触または近くに隣接して加熱帯４２及び窪み４４へ熱伝導が行われる。このため、アプリケータ２０全体を低背構造としながらも、大きな熱性能を与えることができる。このように構成された放熱体４０はベース２２に組み付けられて、窪み４４の底をベース２２の上面に位置させる。中央コーム３０はアプリケータ20の幅方向の中央に保持され、その根元３２が窪み４４内に収めることでコーム歯３４を加熱帯42の上方に突出させる。根元３２は、窪み４４の長さ方向での連続性への障害とはならず、軟化したマスカラ組成物Xが窪み44の長さに亘って保持される。このため、マスカラ組成物が加熱帯４２の長さに沿って供給されここで加熱されると、軟化した組成物は窪み内で拡がり、中央コーム３０の根元を濡らす。この結果、軟化したマスカラ組成物が表面張力作用によってコーム３０を登ることになり、コーム３０で睫毛を梳く時に、睫毛へ渡される状態となる。軟化したマスカラ組成物を窪み４４へ滑らかに流すために、加熱帯４２は窪み４４に向けて下り傾斜または曲面とされている。軟化したマスカラ組成物の一部は加熱帯４２の上に残り、睫毛に加熱帯４２が接触した時には直接睫毛に渡される。
【００１３】
アプリケータ20には、また、加熱帯４２の列に近接する形でアプリケータ２０の幅方向の両端部に配列されたサイドコーム６０の列が備えられる。サイドコーム６０は一つのユニットに一体化され、フック６３をベース２２の溝２３に係合させてベース２２に固定される。サイドコーム６０の上端は隣接する加熱帯４２の一部の上方へ折り曲げられて、中央コーム３０と協働して睫毛を梳くようになっている。サイドコーム６０の根元は放熱体４０の両側端が使用者の眼の回りの顔に接触することがないようにこの部分を覆っている。
【００１４】
操作を行う場合、図９に示すように、アプリケータ20は最初に、コーム３０を睫毛の直下方とする位置に置かれる。次いで、図１０に示すように、アプリケータ20を幾分か上げて捻り、軟化したマスカラ組成物を載せた中央コーム３０で睫毛を梳くことにより、睫毛を持ち上げながら流動化したマスカラ組成物を睫毛に塗布する。この場合、加熱帯４２が睫毛に接触して睫毛を加熱してカールさせる。図１１に示すように、アプリケータ20が睫毛から離されると、軟化したマスカラ組成物が急速に冷却されて、睫毛に硬化したマスカラ組成物の硬い膜を与える。このように、上記の一回の操作で、マスカラの膜形成と睫毛のカールとを行える。睫毛が最初に加熱帯４２に接触すると、サイドコーム６０が、中央コーム３０に先だって、睫毛を梳くことになり、先に梳かれた睫毛に対してマスカラ組成物を均一に塗布することができる。また、睫毛が加熱帯４２から離れる場合に、サイドコーム６０が濡れた睫毛を再度梳くことになり、スタイルが良いマスカラ処理仕上げを行うことが出来る。
【００１５】
ヒーター５０は、加熱帯４２を約５０℃〜１００℃の温度に加熱してマスカラ組成物を軟化させるように制御される。温度が高くなると、軟化したマスカラ組成物は、睫毛に膜を形成するのに十分だが、アプリケータ２０から流れ落ちることのない１ｍPａｓ〜１０，０００，０００ｍPaｓの粘度を示し、マスカラ組成物を安全に塗布することができる。
【図面の簡単な説明】
【００１６】
【図１】本発明の好ましい実施形態に係る睫毛処理装置の斜視図。
【図２】同上の睫毛処理装置の上面図。
【図３】同上の装置の正面図。
【図４】同上の装置の断面図。
【図５】同上の装置に使用されるアプリケータの斜視図。
【図６】同上のアプリケータの上面図。
【図７】同上のアプリケータの断面図。
【図８】マスカラ組成物をアプリケータに渡す方式を示す同上のアプリケータの断面図。
【図９】同上の装置を用いて睫毛をカールしながらマスカラ組成物を塗布する方式を示す説明図。
【図１０】同上の装置を用いて睫毛をカールしながらマスカラ組成物を塗布する方式を示す説明図。
【図１１】同上の装置を用いて睫毛をカールしながらマスカラ組成物を塗布する方式を示す説明図。
【図１】
2008512172.tif 000003
【図２】
2008512172.tif 000004
【図３】
2008512172.tif 000005
【図４】
2008512172.tif 000006
【図５】
2008512172.tif 000007
【図６】
2008512172.tif 000008
【図７】
2008512172.tif 000009
【図８】
2008512172.tif 000010
【図９】
2008512172.tif 000011
【図１０】
2008512172.tif 000012
【図１１】
2008512172.tif 000013
【国際調査報告】
2008512172.tif 000014
2008512172.tif 000015
2008512172.tif 000016